(57)【特許請求の範囲】
【請求項１】
すべての番組部分を含む番組作品を記録媒体上に最初に記録した、前記番組作品の記録再生方法であって、
後で再生しない番組部分を探す検索を実行する段階と、
前記後で再生しない番組部分の始めと終わりを示す情報アイテムを集める段階と、
前記後で再生しない番組部分の再生をしないために、次にデータを読み出す位置を示すジャンプ情報を、前記情報アイテムから求める段階と、
前記記録媒体上の前記後で再生しない番組部分の始めの位置に、前記ジャンプ情報を格納する段階と、を有する方法。
【請求項２】
ＭＰＥＧスプライシングツールの補助で、後で再生しない番組部分の前のビデオ場面から後のビデオ場面へシームレスに移行する方法を取る、請求項１に記載の方法。
【請求項３】
すべての番組部分を含む番組作品が最初に記録された記憶媒体を有する、前記番組作品の記録再生装置であって、
後で再生しない番組部分を探す検索を行う手段と、
前記後で再生しない番組部分の始めと終わりを示す情報アイテムを集める手段と、
前記後で再生しない番組部分の再生をしないために、次にデータを読み出す位置を示すジャンプ情報を、前記情報アイテムから求める手段と、
前記記録媒体上の後で再生しない番組部分の始めの位置に、前記ジャンプ情報を格納する手段と、
前記後で再生しない番組部分無しに前記番組作品を再生するために前記ジャンプ情報を用いる手段と、を有する記録再生装置。
【発明の詳細な説明】
【０００１】
【発明の属する技術分野】
本発明は、例えば放送テレビジョン又はラジオ伝送で伝送された番組作品の記録及び再生のための方法及び装置に関する。
【０００２】
【従来の技術】
本発明は、独立請求項１の一般的な型の、伝送された番組作品の記録及び再生のための方法及び装置に基づいている。番組作品の記録及び再生は、長い間、ビデオレコーダ技術として知られている。商用テレビジョンの成長により、放送テレビジョン伝送に、非常に多くの広告による中断が挿入されるのが目立っている。それゆえ、そのようなテレビジョン伝送が記録されたとき、広告のブロックが同時に記録されるのは、非常にしばしば好ましくない。しかし、広告のブロックに明確な信号を付けることは、多くの番組供給者によって利用できるようにされていないので、記録中に実際にそのような広告のブロックを信頼性を持って識別し、そして、記録しないようにすることは、難しい問題である。一般の認めるところでは、自動的に放送の広告のブロックを識別し、対応して記録しないようにするアプローチもまた存在する。これらのアプローチは、例えば、広告の放送中に番組供給者のロゴの省略が検出されたり、１６：９の放送によるテレビジョン伝送の場合に、広告による中断の最中にフォーマットの変更が検出された場合のように、主に、画像の内容の分析に基づいている。更なる基準として、広告のブロックではしばしば音量が大きく設定されるので、上昇した音量が受信されたかどうかがをみる検査がしばしば行われる。しかし、広告のブロックを自動的に識別するこれらの全ての知られた方法は、１００％の信頼性で動作しない。なぜなら、特に、番組供給者は、しばしば広告ブロックの放送の振舞いを変え、その結果、広告ブロックの識別に関して、検査される基準は、常に信頼性のある基準ではないからである。
【０００３】
【発明が解決しようとする課題】
本発明の目的は、上記欠点を改善し、伝送された番組作品の記録及び再生を行う方法であって、広告ブロックのような、番組の一部分を信頼性を持ってマスクすることを可能とし、その結果、番組作品の場面から望ましくないマスクをすることが起こらない方法を提供することである。この目的は、独立請求項１の特徴により達成される。
【０００４】
【課題を解決するための手段】
請求項１に従った本発明の解決方法は、最初に、広告ブロックなどを含む番組作品は、記録媒体上に記録される。記録過程の次に、望ましくない各番組部分の始まりと終わりを検索し、関係する情報項目がメモリに集められる。そして、これらは、記録媒体上のこれらの番組部分の再生を行わないようにするための関係するナビゲーションデータを記録するか或は、記録されたデータセルの並べ替えを行うために使用される。その場合には、番組作品のデータは、望ましくない番組部分により中断されることが無いようにできるだけ小さく束ねられ、お互いに連続する。
【０００５】
好ましくない番組部分の記録は、同様に、最初は、関心のある番組作品の全ての部分が記録されることを保証する。記録過程の終了後に、検索を行うことで、検索に十分な時間があることになり、複雑なアルゴリズムを用いて、広告ブロック等の位置をマニュアルで決定し或は、広告ブロック等の位置を自動的に決定できる。
【０００６】
広告ブロック等の位置について得られた情報は、同じ記録媒体上に、代わりに、ナビゲーションデータの幾つかの項目を更に記録するのに使用され得る。ナビゲーションデータは、再生時に、記録されている広告ブロック等をスキップする或は、記録されたデータセルの並べ替えが行われることを保証する。並べ替えの場合には、番組作品のデータは新しい配置が与えられ、広告ブロック等のデータセルは削除される。
【０００７】
請求項１に記載されている方法の有利な発展及び改良が、独立請求項２から６に示された方法によって可能である。
本発明の 1つの改良では、広告ブロック等の開始と終了に関する情報項目は、ジャンプ情報の形で、記録媒体上に記録される。広告ブロック等の開始の位置が正確で、再生時に、読み出し部は広告部が終わった次のデータセルの位置に移動し前記位置の次のデータを読み出すように制御される結果となる。この場合使用する記録媒体に依存し、再生時に、もし、読み出し部が新しい位置に移動するのに比較的長い時間がかかると、ポーズが発生する。これは、磁気テープでは対応する位置に早送りしなければならないので、磁気テープで支配的であろう。
【０００８】
しかし、請求項の解決方法は、非常に最近開示された記録媒体の書き換え可能ＤＶＤディスク (ＤＶＤ−ＲＡＭ) と共に使用すると非常に有利である。これは、読み出し部は比較的早く移動することができるので比較的長いポーズは発生しないためである。
本発明の有利な発展では、ジャンプコマンドの代わりに、続いて記録されるべきナビゲーションテーブルが用意される。ナビゲーションテーブルには、ＤＶＤディスクに書きこまれるデータセルが再生時に読み出される順序が規定される。その場合には、広告ブロック等からのデータを含むデータセルは、このテーブルには登録されない。このようなナビゲーションテーブルは、ＤＶＤ−ＲＯＭ装置のためのＤＶＤ規格にはすでに準備されており、更なる開発努力無しに、ＤＶＤ−ＲＡＭ装置にもこの結果を適用できる。この解決方法は、最初の記録過程で、ナビゲーションテーブルのための予約領域が空いているなら、ＤＶＤ記録装置でも使用できる。
【０００９】
代わりの方法の場合には、記録されたデータセルの並べ替えが続いて起こる。
一方では、全く同一の記録媒体を使用し、従って、例えば広告ブロックのデータセルに、番組作品の対応するデータセルをオーバーライトする解決方法の選択がある。この目的のためには、もちろん、十分なバッファメモリを供給することが必要であり、さらに、頻繁に読み出し部の及び／又は記録媒体の移動が必要であるので、動作には、時間がかかる。
【００１０】
それゆえ、もっと簡単であるが、しかし、高価な解決方法が請求項５に、記載される。そこでは、第２の記録装置が、並べ替え中に使用され、その装置は、更なる記録媒体が挿入され、そして、その装置で、広告ブロック無しに、番組作品が記録される。
発明は、広告ブロック等の番組部分に限定されるものではなく、例えば、特定のグループの人々により見られることが意図されていない番組部分もまた、本発明に従って、マスクすることができる。続いて起こるマスクの動作は、データの読み出しを中止することにより逆にされることができる。
【００１１】
もし、広告挿入前のビデオ場面から、ビデオが挿入された後に続く場面にシームレスに遷移する方法を使うなら、更に改良が行われる。特に、広告ブロックの後には、既に放送された幾つかの場面が、まず最初に繰り返されることが通例である。そのときにのみ動作が回復される。勿論、広告が取り除かれた連続記録には、これは好ましくない。ディジタル画像符号化の分野では、このような方法はＭＰＥＧスプライシング（Ｓｐｌｉｃｉｎｇ）というキーワードで開示されている。この目的のために、ＳＭＰＴＥスプライシング規格（Ｓｐｌｉｃｉｎｇ  Ｓｔａｎｄａｒｄ）と称す規格が開示されている。
【００１２】
番組作品の記録及び再生を行う装置のための有利な方法は、更に、請求項７から９に記載されている。
【００１３】
【発明の実施の形態】
本発明を、ＤＶＤ−ＲＡＭ装置の例を用いて説明する。そのようなＤＶＤ−ＲＡＭ装置は現在、開発段階であり、最初のプロトタイプは既に発表されている。図１は、そのようなＤＶＤ−ＲＡＭ装置の前面図を示す。参照番号１０はＤＶＤ−ＲＡＭディスクを挿入する区画を示す。更に幾つかの動作キーが図示されている。この場合、図では、特に、本発明に従った記録及び再生方法に必要な必須動作キーのみに制限されている。参照番号１１は早送りキー、参照番号１２は停止キー、参照番号１３は再生キー、参照番号１４は早戻しキー、参照番号１５は広告ブロックの開始のマーキングキー、参照番号１６は記録機能キー、参照番号１７はポーズキー、参照番号１８は広告ブロックの終了のマーキングキー、参照番号１９はタイトルスキップバックキー、参照番号２０は連続繰り返しキー、参照番号２１はプログラム機能開始キー、そして、参照番号２２は次のタイトルへのスキップフォワードキーである。さらに、他の機能のキーが供給され得るが、しかし、ここでは、特定の細部は考慮しない。
【００１４】
番組作品の記録中に、ＤＶＤディスク上にデータが蓄積される方法を、以下に詳細に説明する。このために、図２の上部に参照番号３０で、記録中のデータの流れの時間シーケンスが図示されている。記録は、時点ｔ0 より開始する。 3つの広告による中断が、放送されている映画の途中に存在する。最初の映画部は、参照記号ＦＡ１により示される。最初の広告による中断が、時点ｔ1 で起こる。最初の広告ブロックは、参照記号ＷＵ１により示される。時点ｔ2 では、最初の広告ブロックが終了し、第２の映画部ＦＡ２が伝送される。第２の広告による中断ＷＵ２が時点ｔ3 で開始する。前記第２の広告による中断が時点ｔ4 で終了し、第３映画部ＦＡ３が記録される。第３の広告による中断ＷＵ３が時点ｔ5 で開始し、時点ｔ6 で第４映画部が記録され、時点ｔ7 で終了する。これは、映画の終了に対応する。データは、ＤＶＤディスクに、時間ｔ0 からｔ7 の全期間中に記録される。この場合、ＤＶＤディスクは、異なった論理データユニットに分割される。ＤＶＤディスクの前論理データ構造はＤＶＤ規格、「ＤＶＤ  ｓｐｅｃｉｆｉｃａｔｉｏｎｓ  ｆｏｒ  ｒｅａｄ−ｏｎｌｙ  ｄｉｓｃ，ｐａｒｔ  ３ｖｉｄｅｏ  ｓｐｅｃｉｆｉｃａｔｉｏｎ，  ｖｅｒｓｉｏｎ  １．０，  ９６年８月」に定義されており、ここでは特にその全ての詳細について説明する必要は無い。これに関しては、特に、ＤＶＤ規格を参照する。説明を行うために、図２は、参照番号３１で、全記録データストリームはいわゆるビデオオブジェクト（ＶＯＢ）に分割されるということを示している。７つのビデオオブジェクトＶＯＢ１からＶＯＢ７の具体例を示す。それらは個々に、映画部分ＦＡ１からＦＡ４及び広告による中断ＷＵ１からＷＵ３に対応している。しかし、この分割は、必須ではなく、データストリームは、また、違うように、ビデオオブジェクトに分割されても良い。これは、ＤＶＤ記録装置の実行する動作に依存する。図２の参照番号３２として示されている部分は、各ビデオオブジェクトは、その部分の、複数のビデオオブジェクトユニット（ＶＯＢＵ）に分割される。ＤＶＤ規格では、ここで、そのようなビデオオブジェクトユニットは、０．４から１．２秒の間の期間のオーディオ及び／又はビデオデータを有することが規定されている。
【００１５】
ビデオオブジェクトユニットは、同時に、ＤＶＤディスク上で個々にアドレスされることができる最小論理単位である。そして、連続する複数のビデオ画像データは、ビデオオブジェクトユニットに蓄積される。例えば、ＧＯＰ（グループオブピクチャー、画像のグループ）のデータは、ビデオオブジェクトユニットに蓄積されてもよい。この場合、ＧＯＰは、単独に符号化及び復号されることができる閉じた単位を示す。しかし、符号化方法は知られたＭＰＥＧビデオ符号化に対応し、以下の説明では更に重要なことではないので、符号化方法はここでは詳細には説明しない。
【００１６】
いわゆるデータセルはＤＶＤディスク上の更なる論理単位である。記録データストリームからデータセルへの分割は、図２の参照番号３３に示されている。この場合、常に、５つのビデオオブジェクトユニットがデータセルに結びついている。この例では、データセルは同じ大きさを持つように選ばれる。しかし、図示した分割は、単に例を意味するだけである。ＤＶＤ規格に示された規則に関連して、違うように選択しても良い。図２に示すように、各データセルには識別番号ＣＩＤＮ１からＣＩＤＮi 等が与えられ、ここにアドレスされることができる。映画部分ＦＡ１からＦＡ４のデータに対するデータセルと、広告による中断ＷＵ１からＷＵ３のデータに対するデータセルの両方がある。この場合、各ビデオオブジェクトのデータセルは連続して個々に番号付けされる。最初のビデオオブジェクトのデータセルの番号は、例えば１からｉである。最初の広告による中断に与えられたデータセルは３つのみであるので、それらの番号は１から３のみである。図２の略語ＣＩＤＮはこの場合、ビデオオブジェクト内でのセル識別番号を表す。
【００１７】
加えて、１つ又はそれ以上のナビゲーションテーブルがＤＶＤディスク上に供給され得る。そのナビゲーションテーブルには、データが読み出されるであろう順序が規定され、そして、再生時に、対応して復号され、再生されるであろう。この機能は、前述のＤＶＤ規格では、ＰＧＣ（プログラムチェイン）と略される。プログラムチェイン情報項目（ＰＧＣＩ）は、この場合、ナビゲーションコマンド或は、データセルが再生される順序を意味すると理解される。本発明は、広告ブロックをマスクするために、データセルの再生順序を入力できることを利用する。
【００１８】
これの一例を、図２の下部の参照番号３４に示す。これは、特に、個々のデータセルが再生されるであろう順序を規定したテーブルを示す。最初に、第１ビデオオブジェクトのＣＮ１からＣＮｉの全てのデータセル識別番号が、このテーブルに入力される。しかし、第３ビデオオブジェクトの最初のデータセルを示す記載事項は、次のセルＣＮi+1 によりなされる。これは、第１の広告による中断のデータを含む第２ビデオオブジェクトのデータセルはスキップされ、第１映画部の最後のデータセルの再生後に、第２映画部の最初のデータセルの再生が直接始まることを意味する。更なる記載事項は第２映画部の次のデータセルを意味する。第２及び第３の広告による中断のためのデータセルもまた、同様にマスクされる。
【００１９】
そのようなナビゲーションテーブルを作成することは、対応するデータが蓄積されていても、再生時に、広告による中断が再生されないということを規定する効果を有する。提案したような解決方法を実行するために、そのようなナビゲーションテーブルが対応する予約領域に、続いて書きこまれることができることが、ＤＶＤ−ＲＡＭ規格で同意されるべきである。しかし、そのようなナビゲーションテーブルは、既に、ＤＶＤ−ＲＯＭ規格の場合に準備されており、ＤＶＤ−ＲＡＭで考慮されることが計画されているため、結局、これは特に大きな努力を必要としない。ＤＶＤ−ＲＡＭの場合には、幾つかの予約データ領域があり、この技術は障害にならない。
【００２０】
本発明の拡張として、ユーザが映画を広告による中断と共に見たいか、そうではないかによって、いわば、ユーザが決定する結果によって、そのような複数のナビゲーションテーブルの準備が行われても良い。この場合選択メニューを経由した対応する入力が供給されねばならない。
次に、本発明による方法の時間シーケンスを詳細に説明する。図３を参照する。方法は、対応する番組作品を記録するために、記録キー１６と再生キー１３が動作されたれることにより開始する。そして、図２のｔ0 とｔ7 の間の期間で全てのデータの記録が行われる。この場合、操作者は、停止キー１２を押すことにより記録を停止することができる。そして次に、タイトルスキップバックが実行される。即ち、ＤＶＤ装置の読み出し部が、記録されたタイトルの先頭に移動される。キー１１が押されることにより、次の段階で、前方向検索が開始される。そして、ユーザは最初の広告ブロックの先頭でポーズキー１７を動作させる。ユーザは、マーキングキー１５を押すことによりこの位置をマークする。データセルの対応するセル識別番号がＤＶＤ装置の内部でバッファメモリに蓄積される。キー１１が押されることにより、検索が再開する。最後に、第２映画部の先頭で再びポーズキーが押される。広告ブロックの最後で、第２マーキングキー１８を用いてマークされ、対応するセル番号がバッファメモリに再び蓄積される。全ての広告による割り込みがマークされるまで、この動作が繰り返される。
【００２１】
第４部分で、プログラミングキー２１が押される。ナビゲーションテーブルが作成され続いて準備された予約領域に蓄積される機能が開始される。言いかえると、マークされた広告ブロックのデータを含まないデータセルのみが入れられるようにテーブルが作成される。機能が実行され対応するテレビジョン受信機のスクリーン上の対応する表示により確認が行われるた後、本発明による方法は、停止キー１２が押されることにより停止する。
【００２２】
次の再生のときに、プログラムされたナビゲーションテーブルに従って再生が行われ、広告による中断がマスクされる。
次に、図４及び図５を用いて、本発明による記録再生装置について説明する。
図４は、装置の記録機能に関して重要であると考えられる全ての必須の構成要素が記述され、図５は、記録されたデータの再生のための全ての必須の構成要素が記述されていることを考慮しなければならない。図４と図５で同一参照番号は、同一の構成要素を示す。
【００２３】
参照番号４０は記録及び再生装置のディジタル入力を示す。データ源はそれで接続される。好ましいデータ源は、例えば、ＤＶＢ受信機である。ＤＶＢ受信機は、番組作品のディジタル的に伝送されたデータを受信し、入力４０に接続された出力を経由して、それらをディジタル形式で再び出力する。番組作品のデータは、それゆえ、符号化された形式であり、記録装置で改めて再び符号化する必要はない。しかし、この様に受信されたデータは実際にはＤＶＢフォーマットを持っているので、ＤＶＤディスクのフォーマットに変換されることができる。この目的のため、それゆえ、対応してプログラムされ、ＤＶＢデータパケットをＤＶＤ−ＲＡＭフォーマットとなるようにフォーマットする装置を準備することが必要である。記録再生装置のユニット４１は、この目的のために準備される。論理的に整列されたデータは、更に、ビットストリームフォーマット部４２で、対応するＤＶＤ−ＲＡＭ装置で必要なエラー保護が行われる。再フォーマットのもう一つの処理も、そこで行われる。その結果、データが正しい物理整列に集められ、ＤＶＤ−ＲＡＭディスク４３上に直接に記録できる。
【００２４】
参照番号４５は、キーパッド部を示す。これは、マイクロコントローラ４４に接続されている。ユーザは、キーパッド部４５を経由して入力することができる。例えば、ユーザは、本発明による方法が処理されることを可能とするために前述した入力を行うであろう。勿論、この手段により、他の入力も同様に可能である。読み出し及び書き込み部４６も、マイクロコントローラ４４に接続される。同時にこれは、ＤＶＤディスクの回転のためのサーボ制御部も意味すると理解されるべきである。マイクロコントローラ４４は、次に読み出されるであろうデータの位置を指定することができる。これは、特に記録されたタイトルの再生に重要である。揮発性メモリ４７がマイクロコントローラ４４に供給されている。例えば、広告ブロックの先頭と終わりを識別するためにデータを入力中に、データはこのメモリに、バッファ蓄積される。検索の最後で、蓄積されたデータは、ナビゲーションテーブルを作成するのに使用される。作成されたナビゲーションテーブルは、フォーマット部４１に送られＤＶＤ、のデータフォーマットに従ってデータパケットに変換さる。データパケットは同じようにビットストリームフォーマット部を通過し、そして続いて、ＤＶＤディスクの予約された位置に蓄積される。
【００２５】
記録データの再生に必須の構成要素が示されている、図５のブロック図について以下に説明する。参照番号５８はシリアルデータ入力を示す。ここでは、ビットストリームは、ビデオデータ及びオーディオデータと、ＤＶＤ規格に従ったサブピクチャユニットのデータを含む。データは光記録ディスクＤＶＤ４３から読み出し部４６を経由して供給される。入力データは、最初に、訂正部６０で、エラー検出及び訂正が行われる。次に、データは分離回路６１に送られ、まだ混合されているビデオ、オーディオ、及び、サブピクチャデータが、分離され、それぞれ対応するビデオ復号部６２へ、或はサブピクチャ復号部６３へ或は、オーディオ復号部６８へ送られる。復号されたビデオ及びサブピクチャデータは、多重部６４に送られる。多重部６４は、サブピクチャ復号部６３により制御される。多重部６４の出力で、ビデオ画像の個々の画素データは連続的にＴＶ信号符号化装置６５に入力される。ＴＶ信号符号化装置の出力で、標準に従った輝度及びクロミナンス信号Ｙ、Ｃがディジタル形式（ＰＡＬ，ＳＥＣＡＭ，ＮＴＳＣ）で出力される。これらの信号は、続いて、Ｄ／Ａ変換部６６でアナログ信号に変換され、対応する出力７０，７１に送られる。関連したオーディオ信号は復号装置６８で標準に従った方法で発生され、Ｄ／Ａ変換部６９で、アナログオーディオ信号（ここではモノ信号のみが示されている）に変換される。このオーディオ信号は出力７３で有効である。
【００２６】
他の設計では、オーディオ信号はディジタル形式で出力される。この信号は、更に外部の復号器で処理されねばならない。
一方、設計は、アナログ輝度及びクロミナンス信号とオーディオ信号は、変調部６７において異なったキャリアで変調され、唯１つの出力７２を経由して、対応するビデオ信号として出力される。
【００２７】
参照番号５９は、キーパッド４５のもう一つの入力を示す。キーパッドがリモートコントローラに統合されているなら、入力は、赤外線入力として設計されても良い。マイクロコントローラ４４は、ユニット４６，６０，６１，６２，６３，６８を制御するために働く。一旦対応する選択コマンドが入力されると、マイクロコントローラは、選択されたナビゲーションテーブルの読み出しを開始する。これらのデータは、マイクロコントローラのメモリ４７で、バッファに蓄積される。そして、このテーブルによって、更なる再生動作が決定される。これは、図２に示した上述のように行われる。
【００２８】
本発明は、特にＤＶＤ−ＲＡＭビデオレコーダ又はカムコーダと共に用いられることが考えらる。しかし、対応するＤＶＤ音楽記録装置でも使用してもよい。しかし、原理的には、本発明は、他の記録および再生装置、特にテープ記録装置、でも使用できる。
他の実施例として、説明したナビゲーションテーブルの代わりに、いわゆるナビゲーションデータを予約領域に与えるように設計しても良い。また、このようなデータは、ＤＶＤ規格では、ナビゲーションコマンドと称して既に準備されている。これらのナビゲーションコマンドは、ジャンプコマンドのように動作し、そして同様にＤＶＤのＰＧＣデータ領域に蓄積されている。
【００２９】
更なる他の解決方法は、ＤＶＤ−ＲＡＭ規格では、更なるジャンプ情報項目が準備され、その情報項目は、データセルの先頭と最後に蓄積され、次のデータセルの読み出し位置を指定する。
本発明の更なる改良では、前に記録されたデータセルの並べ替えが起こる。そして、これは、個々の広告ブロックの開始と終了に関するバッファに蓄積された情報項目の助けにより行われる。広告ブロックのデータセルは、記録された番組作品のデータセルによりオーバーライトされる。その結果、番組作品のデータセルは、小さく束ねられるように連続して配置され、広告ブロックのデータセルは削除される。
【００３０】
この解決方法の場合、第１の記録装置に接続された第２の記録装置を使用することも可能である。第２の記録装置には、書きこまれていない記録メディアが挿入され、番組作品のデータセルのみがそこに書きこまれる。この解決方法の場合、１回のみ書きこみが可能なＤＶＤディスクのＤＶＤ記録可能装置の分野でもまた使用できることが分かる。
【００３１】
【発明の効果】
本発明によれば、伝送された番組作品の記録及び再生を行う方法であって、広告ブロックのような、番組の一部分を信頼性を持ってマスクすることを可能とし、その結果、番組作品の場面から望ましくないマスクをすることが起こらない方法を提供することができる。
【図面の簡単な説明】
【図１】本発明の記録及び再生装置の正面図である。
【図２】ナビゲーションテーブル及びその機能を示す図である。
【図３】本発明の記録方法の時間シーケンスを示す図である。
【図４】記録及び再生装置の記録部に関するブロック図である。
【図５】記録及び再生装置の再生部に関するブロック図である。
【符号の説明】
１０  ＤＶＤ−ＲＡＭディスクを挿入する区画
１１  早送りキー
１２  停止キー
１３  再生キー
１４  早戻しキー
１５  広告ブロックの開始のマーキングキー
１６  記録機能キー
１７  ポーズキー
１８  広告ブロックの終了のマーキングキー
１９  タイトルスキップバックキー
２０  連続繰り返しキー
２１  プログラム機能開始キー
２２  次のタイトルへのスキップフォワードキー
４１  フォーマット部
４２  ビットストリームフォーマット部
４３  ＤＶＤ−ＲＡＭディスク
４５  キーパッド部
４４  マイクロコントローラ
４６  読み出し及び書き込み部
４７  揮発性メモリ
５８  シリアルデータ入力
６０  訂正部
６１  データは分離回路
６２  ビデオ復号部６２
６３  サブピクチャ復号部
６４  多重部
６５  ＴＶ信号符号化装置
６６  Ｄ／Ａ変換部
６６でアナログ信号に変換され、対応する
６７  変調部
６８  オーディオ復号部
６９  Ｄ／Ａ変換部
７０，７１，７２，７３  出力
【図１】
0004658277.tif 000002
【図２】
0004658277.tif 000003
【図３】
0004658277.tif 000004
【図４】
0004658277.tif 000005
【図５】
0004658277.tif 000006